(57)【要約】    【課題】  一般的に、サイドノック式のシャープペンシルは、芯の繰り出し操作を容易とする為に前記押圧操作部を親指で操作できる状態、具体的には、押圧操作部材を上方に向けた状態で把持し、筆記する。この際、クリップが押圧操作部と反対側に位置してしまうと、そのクリップが親指と人指し指との付け根部分に当接してしまい、違和感のある筆記となってしまうのである。    【構成】  軸と軸との連結構造であって、一方の軸の端面に外縁部が湾曲形成された突出部を形成すると共に、他方の軸には、前記一方の突出部が嵌り込み、且つ、その突出部とほぼ同形状をなした溝部を形成した連結構造。【選択図】        図１
2005131968.tif 000002
【特許請求の範囲】
【請求項１】
軸と軸との連結構造であって、一方の軸の端面に外縁部が湾曲形成された突出部を形成すると共に、他方の軸には、前記一方の突出部が嵌り込み、且つ、その突出部とほぼ同形状をなした溝部を形成したことを特徴とする軸の連結構造。
【請求項２】
前記突出部、並びに、溝部を軸の円周方向に対して１８０度の区間に形成したことを特徴とする請求項１記載の軸の連結構造。
【請求項３】
前記一方の軸に棒状体繰り出し装置を配置すると共に、軸の外周部にはクリップを設け、又、他方の軸に芯繰り出し機構を配置すると共に、その芯繰り出し機構の操作部を軸の側壁に設けたことを特徴とする請求項１、或いは、請求項２に記載の軸の連結構造。
【発明の詳細な説明】
【技術分野】
【０００１】
本発明は、軸と軸との連結構造に関するものであり、特に、長い消しゴムやボールペンなどの棒状体をホルダーから出没させる回転式の繰り出し装置と、サイドノック式のシャープペンシルとの連結構造に関する。
【背景技術】
【０００２】
１例として、シャープペンシルの後方に長い消しゴムを繰り出す装置が配置された筆記具がある。詳述すると、クリップ１０が一体形成された螺旋部材２の内側には、棒状体案内部材４が回転自在に配置されており、その螺旋部材２と棒状体案内部材４（頭部４Ａ）とを相対的に回転させることによって、棒状体９が前記棒状体案内部材４から出没するものとなっている。そして、それら、螺旋部材２や棒状体案内部材４などから構成された棒状体繰り出し装置は、シャープペンシルの外筒１１に対して着脱可能に取り付けられている。その棒状体繰り出し装置と外筒１１との取り付けは、螺旋部材２の外周面に形成された凸部１４と外筒１１の内周面に形成された凹部１５との係合によってなされている。
【特許文献１】実開平４−８６７７６号。
【発明の開示】
【発明が解決しようとする課題】
【０００３】
しかし、前記棒状体繰り出し装置と外筒１１の着脱を繰り返していると、それらの取り付け部における係合力、即ち、突部１４と凹部１５との係合力が弱まってしまい、外筒１１を一方の指で摘み、他方の指で頭部４Ａを回転させると螺旋部材２も回転してしまい、その結果、棒状体９を棒状体繰り出し装置から出没させることができなくなってしまう場合もあった。
又、特に、前記シャープペンシルがその外軸１１の側面に押圧操作部を有する、所謂、サイドノック式のシャープペンシルにあっては、前記クリップが押圧操作部に対して様々な位置にきてしまい、そのクリップの位置によっては筆記に違和感が生じてきてしまっていた。即ち、一般的に、サイドノック式のシャープペンシルは、芯の繰り出し操作を容易とする為に前記押圧操作部を親指で操作できる状態、具体的には、押圧操作部材を上方に向けた状態で把持し、筆記する。この際、クリップが押圧操作部と反対側に位置してしまうと、そのクリップが親指と人指し指との付け根部分に当接してしまい、違和感のある筆記となってしまうのである。
【課題を解決するための手段】
【０００４】
本発明は、軸と軸との連結構造であって、一方の軸の端面に外縁部が湾曲形成された突出部を形成すると共に、他方の軸には、前記一方の突出部が嵌り込み、且つ、その突出部とほぼ同形状をなした溝部を形成したことを要旨とする。
【発明の効果】
【０００５】
本発明は、軸と軸との連結構造であって、一方の軸の端面に外縁部が湾曲形成された突出部を形成すると共に、他方の軸には、前記一方の突出部が嵌り込み、且つ、その突出部とほぼ同形状をなした溝部を形成したので、常に、一定の位置で連結することができる。
【発明を実施するための最良の形態】
【０００６】
作用について説明する。円周方向において、一方の軸と他方の軸が常に一定の位置で連結されると共に、それらの相対的な回転が防止される。
【０００７】
シャープペンシルの後方に長い消しゴムを繰り出す装置を配置した筆記具である。そのシャープペンシルは、軸筒１の側面にノック駒２を配置した、所謂、サイドノック式のシャープペンシルである。そのシャープペンシルの軸筒１の後方には、棒状の消しゴムを繰り出す消しゴム繰り出し機構３が着脱自在に取り付けられている。この消しゴム繰り出し機構３はユニット化されており、種々の軸筒、例えば、ボールペンやマーキングペンなどの軸筒に取付が可能なものとなっている。
【０００８】
その消しゴム繰り出し機構３を構成する外軸４の前部には、筒状の挿着部５が形成されており、その端面の１部分には突出部６が形成されている。具体的に説明すると、その突出部６の外縁部６ａは湾曲形成されており、更に、突出部６は外軸４の円周方向に対して約１８０度の区間に形成されている。他方、突出部６が形成されていない部分は、外軸４の中心軸線に対して直角な方向に切り落とされている。その直角に切り落とされている切り欠き部６ｂも前記外軸４の円周方向に対して約１８０度の区間に形成されている。そして、それら、湾曲形成された外縁部６ａと切り欠き部６ｂとの連接部分には、外軸４の中心軸線と平行な係合面６ｃが形成されている。
一方、前記軸筒１の後部には、外軸４の突出部６が嵌り込み、且つ、その突出部６とほぼ同形状をなした溝部７が形成されており、又、軸筒１の後部には縮径された係合筒部８も延設されている。この溝部７も前記突出部６と同様に、外縁部７ａは湾曲形成されており、軸筒１の円周方向に対して約１８０度の区間に形成されている。他方、溝部７が形成されていない部分は、軸筒１の中心軸線に対して直角な方向に切り落とされている。その直角に切り落とされている切り欠き部７ｂも前記軸筒１の円周方向に対して約１８０度の区間に形成されている。そして、それら、湾曲形成された外縁部７ａと切り欠き部７ｂとの連接部分には、軸筒１の中心軸線と平行な係合面７ｃが形成されている。即ち、外軸４と軸筒１は、挿着部５（嵌合突起５ａ）が係合筒部８（嵌合溝部８ａ）に嵌合すると共に、突出部６が溝部７に係合するのである。つまり、消しゴム繰り出し機構３は、軸筒１に対して着脱可能、且つ、連結時においては、相対的に回転が不能にに取り付けられている。
【０００９】
次ぎに、前記棒状体繰り出し装置３について説明する。前記外軸４の内壁面には螺旋溝８が形成されており、又、外軸４の内側には棒状体案内部材９が回転自在に配置されている。その棒状体案内部材９の縦方向にはスリット１０が対向した位置に形成されている。そして、前記棒状体案内部材９の内側には、棒状体受け部材１１が上下動可能に配置されているが、その棒状体案内部材の側面には突起１２が対向した位置に形成されており、前記スリット１０を介して螺旋溝８に螺合している。つまり、前記外軸４と棒状体案内部材９を相対的に回転させると、棒状体受け部材１１が上下動し、その上下動に伴って棒状体受け部材１１に取り付けられている消しゴム（図中点線）１３も上下動し、此によって、その消しゴム１３が棒状体案内部材９の後端鍔部１４から出没するのである。尚、前記外軸４と棒状体案内部材９は、その棒状体案内部材９の後端鍔部１４の内面に形成された円周溝部と、外軸４の後部外面に形成された円周状突部との係合によって、相対的に回転可能ではあるが分解不能に組み立てられている。
符号１５は、外軸１４の後部外面か外側方向に突出した状態で、且つ、外軸４と一体形成されたクリップであるが、そのクリップ１５を金属などの別部材で構成し、樹脂成形品からなる外軸４に固定などしても良い。又、そのクリップ１５は、外軸４の突出部６やノック駒２と同一な方向に形成されている。即ち、それらクリップ１５や突出部６並びに、ノック駒２は、同一な直線状に設けられているのである。
【００１０】
次ぎに、前記サイドノック式シャープペンシル機構について説明する。軸筒１の中間部の内側には、スライダ部材１６が摺動自在に配置されており、そのスライダ部材１６の側壁には２つの平行した傾斜面１７が対向した位置に形成されている。その傾斜面１７には、前記軸筒１の側壁に形成された窓孔１８に装着されたノック駒２の押圧部１９が当接している（図４参照）。ノック駒２を軸筒１の径方向に押圧することによって、スライダ部材１６が図中右方向に移動するというものである。
また、そのスライダ部材１６の前方には、芯の把持・開放を行うコレット（２つ割、或いは、３つ割など）式のチャック体２０が圧入・固定されている。そのチャック体２０の前方には、チャック体２０の拡開・閉鎖を行うチャックリング２１が囲繞している。符号２２は、前記チャック体２０やスライダ部材１６を図中上方に向け付勢すると共に、チャック体２０を閉鎖せしめ芯を保持させるコイルスプリングなどの弾撥部材である。又、符号２３は軸筒１の前方に着脱自在に取り付けられた先部材であって、その先部材２３の内部には、芯を軽く保持しその芯の後退を規制するゴム状材質からなる芯戻り止め部材２４が配置されている。符号２５は、前記ノック駒２の前方であって、軸筒１の中間部に配置されたグリップであり、本例においてはゴム材質から構成し挿着しているが、軸通１の表面にローレット加工や梨地加工を施すなどして一体的に形成しても良い。
更に、前記ノック駒２の頂部には、複数の凹部２６が形成されている。そして、その凹部２６の底面には無し地加工が施されている。凹部２６を無し地加工することによって、ノック駒２の表面部における光沢との差が発生し、デザイン性が向上すると共に、印刷などに比し耐久性が向上するものとなっている。
【００１１】
次ぎに、作動例について説明する。軸筒１を一方の指で摘み、他方の指で棒状体案内部材９の後端鍔部１４を摘み、それらを相対的に回転させる。その相対的回転動作によって、前述したように消しゴム１３が後端鍔部１４から出没する。この時、外軸４に対しても回転が作用しまうが、外軸１の挿着部５は軸筒１の係合筒８に嵌合している為、それら外軸４と軸筒１との相対的な回転は防止される。更に、この外軸４と軸筒１との嵌合作用に加え、突出部６の外縁部６ａや係合面６ｃと、溝部７の外縁部７ａや係合面７ｃによっても、外軸４と軸筒１との相対的な回転が防止されている。特に、係合面６ｃと７ｃは、回転作用が発生している方向に対して直角な方向に互いが当接し合っている為、軸筒１と外軸４との相対的な回転がより防止されるものとなっている。
つまり、本例における、クリップ１５とノック駒２の位置を、外軸４と軸筒１との組み立て時は勿論、棒状体繰り出し装置３を動作させたときにおいても、常に、一定の箇所に位置に位置させていくことができるのである。此によって、良好な筆記を得ることができるものとなっている。
【図面の簡単な説明】
【００１２】
【図１】１例を示す側面図。
【図２】図１の分解図。
【図３】図１の縦半断面図。
【図４】図１の要部外観図。
【図５】図１の正面図。
【図６】図５の縦半断面図。
【符号の説明】
【００１３】
１      軸筒
２      ノック駒
３      消しゴム繰り出し機構
４      外軸
５      挿着部
６      突出部
６ａ    外縁部
６ｂ    切り欠き部
６ｃ    係合面
７      溝部
７ａ    外縁部
７ｂ    切り欠き部
７ｃ    係合面
８      係合筒部
９      棒状体案内部材
１０      スリット
１１      棒状体受け部材
１２      突起
１３      消しゴム
１４      後端筒部
１５      クリップ
１６      スライダ部材
１７      傾斜面
１８      窓孔
１９      押圧部
２０      チャック体
２１      チャックリング
２２      弾撥部材
２３      先部材
２４      芯戻り止め部材
２５      グリップ
２６      凹部
【図１】
2005131968.tif 000003
【図２】
2005131968.tif 000004
【図３】
2005131968.tif 000005
【図４】
2005131968.tif 000006
【図５】
2005131968.tif 000007
【図６】
2005131968.tif 000008